(57)【要約】【課題】予備系光送受信器が複数設けられている光伝送装置において、光伝送装置の消費電力の低減しつつ、光伝送装置の可用性を高める技術を提供する。【解決手段】光伝送装置２０００は、複数の予備系光送受信器２２００を有する。動作確認部２０２０は、起動状態にある予備系光送受信器２２００の動作確認を行う。状態遷移部２０４０は、起動状態にあり、かつ、動作確認が終了した予備系光送受信器２２００の動作状態を、起動状態より消費電力が小さい待機状態に変更する。運用系選択部２０６０は、起動状態であり、かつ、動作確認部２０２０による動作確認によって正常であると判断された予備系光送受信器２２００を優先的に、運用系として用いる光送受信器として選択する。【選択図】図１
2014158249.tif 000002
【特許請求の範囲】
【請求項１】
複数の予備系光送受信器を有する光伝送装置であって、
起動状態にある予備系光送受信器の動作確認を行う動作確認手段と、
起動状態にあり、かつ動作確認が終了した第１予備系光送受信器を、起動状態よりも消費電力が小さい状態であり、かつ動作確認を行うことができない状態である待機状態にする処理と、待機状態にある第２予備系光送受信器を起動状態にする処理と、を行う状態遷移手段と、
複数の予備系光送受信器の中から、起動状態にあり、かつ、動作確認手段によって正常であると判断された予備系光送受信器を優先的に、運用系の光送受信器として選択する運用系選択手段と、
を有する光伝送装置。
【請求項２】
状態遷移手段は、動作確認手段によって正常であると判断された光送受信器のいずれか１つ以上を、動作確認手段によって別の光送受信器が正常であると判断されるまで、起動状態にしておく請求項１記載の光伝送装置。
【請求項３】
状態遷移手段は、複数の予備系光送受信器を、同時に起動状態にし、
運用系選択手段は、運用系の光送受信器として、複数の予備系光送受信器を選択する請求項１又は２記載の光伝送装置。
【請求項４】
状態遷移手段は、動作確認手段による動作確認が終了してから所定の時間が経過した予備系光送受信器を、待機状態にする請求項１乃至３いずれか一項に記載の光伝送装置。
【請求項５】
状態遷移手段は、各予備系光送受信器を、周期的に起動状態にする請求項１乃至４いずれか一項に記載の光伝送装置。
【請求項６】
予備系光送受信器へ送信する第１光信号を受信する第１受信部と、予備系光送受信器から受信した第２光信号を送信する第１送信部とを有する、光スイッチ部を有し、
動作確認手段は、第１予備系光送受信器が有する第１送信部によって送信される第２光信号を、第１予備系光送受信器が有する第１受信部によって受信される第１光信号とすることで、第１予備系光送受信器の動作確認を行う請求項１乃至５いずれか一項に記載の光伝送装置。
【請求項７】
予備系光送受信器は、第３光信号を受信する第２受信部と、第４光信号を送信する第２送信部を有し、
動作確認手段は、第２予備系光送受信器が有する第２送信部によって送信される第４光信号を、第２予備系光送受信器が有する第２受信部によって受信される第３光信号とすることで、第２予備系光送受信器の動作確認を行う請求項１乃至６いずれか一項に記載の光伝送装置。
【請求項８】
予備系光送受信器へ送信する第１光信号を受信する第１受信部と、予備系光送受信器から受信した第２光信号を送信する第１送信部とを有する、光スイッチ部を有し、
動作確認手段は、光スイッチ部の動作確認をさらに行う請求項１乃至７いずれか一項に記載の光伝送装置。
【請求項９】
それぞれ異なる波長を持つ複数の光信号が波長多重された光信号を入力される請求項１乃至８いずれか一項に記載の光伝送装置であって、
各波長それぞれに対応して、その波長を持つ光信号が入力される複数の予備系光送受信器を有し、
運用系選択手段は、第１波長に対応する予備系光送受信器の中から、起動状態にあり、かつ、動作確認手段によって正常であると判断された予備系光送受信器を優先的に、第１波長に対応する運用系の光送受信器として選択する、  請求項１乃至８いずれか一項に記載の光伝送装置。
【請求項１０】
複数の予備系光送受信器を有する光伝送装置によって実行される制御方法であって、
起動状態にある予備系光送受信器の動作確認を行う動作確認ステップと、
起動状態にあり、かつ動作確認が終了した第１予備系光送受信器を、起動状態よりも消費電力が小さい状態であり、かつ動作確認を行うことができない状態である待機状態にする待機ステップと、
待機状態にある第２予備系光送受信器を起動状態にする起動ステップと、
複数の予備系光送受信器の中から、起動状態にあり、かつ、動作確認ステップによって正常であると判断された予備系光送受信器を優先的に、運用系の光送受信器として選択する運用系選択ステップと、
を有する制御方法。
【発明の詳細な説明】
【技術分野】
【０００１】
本発明は、光伝送装置、制御方法、及びプログラムに関する。
【背景技術】
【０００２】
光伝送ネットワークにおいて、光信号の送信、受信、及び経由を行う光伝送装置が用いられている。また、光伝送装置として、光信号の切り替え、選択、分岐、及び挿入などの処理を、光信号を光の状態に保ったまま行うことができる装置が用いられている。このような光伝送装置の例は、光クロスコネクト装置やROADM（Reconfigurable Optical Add/Drop Multiplexer）装置などである。
【０００３】
光伝送装置は、光信号の送信又は受信を行う光送受信器を備えている。例えば光送受信器は、クライアント信号を収容し、基幹系伝送路に対して光信号を送信する。また、光送受信器の中には、受信した光信号を、送信先の伝送路に適した信号フォーマットに変換する機能を有するものもある。
【０００４】
光伝送装置は、高い可用性が求められる。そこで、光伝送装置の可用性を高めるため、光伝送装置には、運用する光送受信器（以下、運用系光送受信器）以外に、予備系の光送受信器（以下、予備系光送受信器）が複数設けられている場合が多い。予備系光送受信器は、運用系光送受信器が利用できなくなった場合に、運用系光送受信器の代わりとして用いられる。運用系光送受信器が利用できない状況の例としては、運用系光送受信器に接続されている光ファイバが切断されるなどの伝送ライン障害や、運用系送受信器が備えるトランスポンダが故障するトランスポンダ障害が発生した状況がある。
【０００５】
さらに、光伝送装置の消費電力を小さくすることが求められている。光伝送装置が有する構成要素のうち、光送受信器は、消費電力が高い構成要素である。そのため、光伝送装置の可用性を向上するために、光伝送装置に複数の光送受信器を設けると、光伝送装置の消費電力が高くなる。
【０００６】
特許文献１は、運用系に切り替える予備系光送受信器の動作保証を行うことで、光伝送装置の可用性を高める技術を開示している。特許文献１記載のシステムは、複数の予備系光送受信器を有する。さらに、特許文献１記載のシステムは、予備系光送受信器が正常に動作するか否かの動作確認を定期的に行う。そして、正常に動作すると確認された予備系光送受信器を、運用系に切り替える予備系光送受信器として用いる。
【０００７】
特許文献２は、ネットワーク間接続装置が有する待機系経路検索制御部の消費電力を低減しつつ、待機系の経路検索制御部を運用系に切り替えるために要する時間（以下、切り替え時間）を短くする技術を開示している。経路検索制御部は、経路検索制御部が有する一部の機能構成部にのみ電力が供給される省電力モードという動作状態になることができる。特許文献２のネットワーク間接続装置は、待機系の経路検索制御部を省電力モードにしておくことで、待機系の経路検索制御部が消費する電力を低減しつつ、切り替え時間を短くする。
【先行技術文献】
【特許文献】
【０００８】
【特許文献１】国際公開第２００９／０３８１２１号パンフレット
【特許文献２】特開２００４−２６６５１９号公報
【発明の概要】
【発明が解決しようとする課題】
【０００９】
本発明者は、予備系光送受信器が複数設けられている光伝送装置において、光伝送装置の消費電力を低減しつつ、光伝送装置の可用性を高める方法を検討した。特許文献１記載の装置は、切り替え時間の短縮を実現する技術は開示していない。また、特許文献２は、待機系の経路検索制御部が複数設けられている場合については言及していない。
【００１０】
本発明の目的は、予備系光送受信器が複数設けられている光伝送装置において、光伝送装置の消費電力を低減しつつ、光伝送装置の可用性を高める技術を提供することである。
【課題を解決するための手段】
【００１１】
本発明が提供する光伝送装置は、複数の予備系光送受信器を有する。当該光伝送装置は、起動状態にある予備系光送受信器の動作確認を行う動作確認手段と、起動状態にあり、かつ動作確認が終了した第１予備系光送受信器を、起動状態よりも消費電力が小さい状態であり、かつ動作確認を行うことができない状態である待機状態にする処理と、待機状態にある第２予備系光送受信器を起動状態にする処理と、を行う状態遷移手段と、複数の予備系光送受信器の中から、起動状態にあり、かつ、動作確認手段によって正常であると判断された予備系光送受信器を優先的に、運用系の光送受信器として選択する運用系選択手段を有する。
【００１２】
本発明が提供するプログラムは、コンピュータに、本発明が提供する光伝送装置として動作する機能を持たせるプログラムである。当該プログラムは、前記コンピュータに、本発明が提供する光伝送装置の各機能構成部が有する機能を持たせる。
【００１３】
本発明が提供する制御方法は、複数の予備系光送受信器を有する光伝送装置によって実行される。当該制御方法は、起動状態にある予備系光送受信器の動作確認を行う動作確認ステップと、起動状態にあり、かつ動作確認が終了した第１予備系光送受信器を、起動状態よりも消費電力が小さい状態であり、かつ動作確認を行うことができない状態である待機状態にする待機ステップと、待機状態にある第２予備系光送受信器を起動状態にする起動ステップと、複数の予備系光送受信器の中から、起動状態にあり、かつ、動作確認ステップによって正常であると判断された予備系光送受信器を優先的に、運用系の光送受信器として選択する運用系選択ステップとを有する。
【発明の効果】
【００１４】
本発明によれば、予備系光送受信器が複数設けられている光伝送装置において、光伝送装置の消費電力を低減しつつ、光伝送装置の可用性を高める技術が提供される。
【図面の簡単な説明】
【００１５】
【図１】実施形態１に係る光伝送装置を示すブロック図である。
【図２】状態遷移部が、各予備系光送受信器を周期的に起動する様子を概念的に示す図である。
【図３】予備系光送受信器の内部で形成されるループバックパスを示す図である。
【図４】光スイッチ部を有する実施形態１の光伝送装置を表すブロック図である。
【図５】光スイッチ部を用いて形成されるループバックパスを示す図である。
【図６】光スイッチ部の詳細な構成を例示する図である。
【図７】動作確認部、状態遷移部、及び運用系選択部を実現するために光伝送装置が有する、ハードウエアの構成を例示するブロック図である。
【図８】実施形態１に係る光伝送装置が、予備系光送受信器の動作確認を行う処理の流れを例示するフローチャートである。
【図９】実施形態１に係る光伝送装置が、運用系として利用する予備系光送受信器を選択する処理の流れを例示するフローチャートである。
【図１０】実施形態１の光伝送装置による効果の試算結果を示すグラフである。
【図１１】運用系予備系光送受信器に障害が発生した場合における光伝送装置の処理の流れを例示するフローチャートである。
【図１２】実施形態２における光伝送装置の動作を概念的に示す図である。
【図１３】実施形態２に係る光伝送装置が行う処理の流れを例示するフローチャートである。
【図１４】実施形態３に係る光伝送装置の動作を概念的に示す図である。
【図１５】クロスコネクト部において形成されるループバックパスを示す図である。
【図１６】実施形態５に係る光伝送装置を示すブロック図である。
【図１７】実施形態５に係る光伝送装置の具体的な構成を例示するブロック図である。
【発明を実施するための形態】
【００１６】
以下、本発明の実施の形態について、図面を用いて説明する。尚、すべての図面において、同様な構成要素には同様の符号を付し、適宜説明を省略する。
【００１７】
[実施形態１]
図１は、実施形態１に係る光伝送装置２０００を示すブロック図である。図１において、実線の矢印は情報の流れを示している。図１において、各ブロックは、ハードウエア単位の構成ではなく、機能単位の構成を示している。
【００１８】
光伝送装置２０００は、光信号の受信及び送信を行う装置である。光伝送装置２０００は、複数の予備系光送受信器２２００を有する。予備系光送受信器２２００は、光信号を受信し、受信した光信号を送信する。また、例えば、予備系光送受信器２２００は、受信した光信号のパワーを増幅する機能や、受信した光信号を送信先の伝送路に適した信号フォーマットに変換する機能をさらに有してもよい。また、光伝送装置２０００が、光信号を外部から受信する受信ポートと、光信号を外部へ送信する送信ポートを複数有している場合、光伝送装置２０００は、受信ポートと送信ポートを任意に接続する機能を有してもよい。
【００１９】
予備系光送受信器２２００は、起動状態と待機状態という２つの状態を取り得る。予備系光送受信器２２００が起動状態にある場合、予備系光送受信器２２００が正常に動作するか否かの動作確認を行うことが可能である。予備系光送受信器２２００の動作確認に関する詳細は後述する。一方、予備系光送受信器２２００が待機状態にある場合、予備系光送受信器２２００の動作確認を行うことができない。
【００２０】
ここで、予備系光送受信器２２００の起動状態は、予備系光送受信器２２００を構成する要素のうち、予備系光送受信器２２００の動作確認に必要な全ての要素に電力が供給されている状態である。例えば、起動状態は、予備系光送受信器２２００が有する構成要素の全てに電力が供給されている状態である。さらに例えば、起動状態は、予備系光送受信器２２００を構成する要素の一部に電力が供給されていないものの、予備系光送受信器２２００の動作確認に必要な要素の全てに電力が供給されている状態でもよい。
【００２１】
一方、予備系光送受信器２２００の待機状態は、予備系光送受信器２２００を構成する要素のうち、予備系光送受信器２２００の動作確認に必要な要素の１つ以上に、電力が供給されていない状態である。
【００２２】
予備系光送受信器２２００の起動状態と待機状態は、上記のような差異があるため、待機状態にある予備系光送受信器２２００の消費電力は、起動状態にある予備系光送受信器２２００の消費電力よりも小さい。
【００２３】
光伝送装置２０００は、動作確認部２０２０、状態遷移部２０４０、及び運用系選択部２０６０を有する。以下、それぞれについて説明する。
【００２４】
＜動作確認部２０２０＞
動作確認部２０２０は、起動状態にある予備系光送受信器２２００の動作確認を行う。動作確認部２０２０が行う動作確認は、例えば、予備系光送受信器２２００が受信又は送信する光信号のパワーの大きさが正常であるか否かの確認である。その他にも例えば、動作確認部２０２０が行う動作確認は、予備系光送受信器２２００が送信するデータに異常があるか否かの確認である。その他にも例えば、動作確認部２０２０が行う動作確認は、予備系光送受信器２２００が受信又は送信する光信号の波長、変調状態、又は偏波状態が正常であるか否かの確認である。
【００２５】
動作確認部２０２０が、予備系光送受信器２２００が起動状態であることを検出する方法は様々である。例えば、動作確認部２０２０は、状態遷移部２０４０から、予備系光送受信器２２００を起動状態にした旨の通知を受信する。その他にも例えば、動作確認部２０２０は、各予備系光送受信器２２００の動作状態を監視することで、起動状態にある予備系光送受信器２２００を検出する。
【００２６】
＜状態遷移部２０４０＞
状態遷移部２０４０は、予備系光送受信器２２００の動作状態を変更する。具体的には、状態遷移部２０４０は、起動状態にあり、かつ、動作確認部２０２０による動作確認が終了した予備系光送受信器２２００の動作状態を、待機状態に変更する休止処理を行う。また、状態遷移部２０４０は、待機状態にある予備系光送受信器２２００の動作状態を、起動状態に変更する起動処理を行う。
【００２７】
状態遷移部２０４０が休止処理を行う時点を決定する方法は様々である。例えば、状態遷移部２０４０は、動作確認部２０２０による予備系光送受信器２２００の動作確認が終わったことを検知する。そして、状態遷移部２０４０は、予備系光送受信器２２００の動作確認が終わったことを検知した時点より後の時点において、その予備系光送受信器２２００を、休止状態に遷移させる。これにより、予備系光送受信器２２００は、ある時点において、動作確認が完了した状態であり、かつ、起動状態である。
【００２８】
状態遷移部２０４０が、動作確認部２０２０の動作確認が終わったことを検知する方法は、様々である。例えば状態遷移部２０４０は、動作確認部２０２０から、予備系光送受信器２２００の動作確認が終わった旨の通知を受信する。その他にも例えば、状態遷移部２０４０は、動作確認部２０２０の動作を監視することで、動作確認部２０２０による予備系光送受信器２２００の動作確認が終了したことを検知する。
【００２９】
また、例えば状態遷移部２０４０は、予備系光送受信器２２００の休止処理を行う時点を、その予備系光送受信器２２００を起動してから所定時間が経過した時点とする。この場合、状態遷移部２０４０は、動作確認部２０２０による予備系光送受信器２２００の動作確認にかかる時間（以下、動作確認時間）を、予め把握しておく。そして、状態遷移部２０４０は、上記所定時間として、動作確認時間より長い時間を用いる。こうすることで、状態遷移部２０４０は、予備系光送受信器２２００の動作確認が終了した時点より後の時点において、その予備系光送受信器２２００を待機状態に遷移させる。これにより、予備系光送受信器２２００は、ある時点において、動作確認が完了した状態であり、かつ、起動状態である。
【００３０】
＜運用系選択部２０６０＞
運用系選択部２０６０は、複数の予備系光送受信器２２００の中から、運用系の光送受信器として利用する予備系光送受信器２２００を選択する。具体的には、運用系選択部２０６０は、起動状態であり、かつ、動作確認部２０２０による動作確認によって正常であると判断された予備系光送受信器２２００を優先的に、運用系として用いる光送受信器として選択する。
【００３１】
以上のように、複数の予備系光送受信器２２００を有する光伝送装置２０００において、運用系選択部２０６０が選択した予備系光送受信器２２００を運用系に切り替えることで、光伝送装置の消費電力を低減しつつ、光送受信器の可用性が高めることができる。まず、動作確認が終わった予備系光送受信器を起動状態から待機状態に遷移させるため、切り替え時間の短縮を目的として常に予備系光送受信器を起動状態にしておく場合と比較し、光伝送装置の消費電力が小さい。また、正常に動作することが確認された予備系光送受信器を優先的に運用系として用いるため、予備系光送受信器の動作確認を行わない場合と比較し、運用系に切り替えた予備系光送受信器が正常に動作する確率が高い。そして、起動状態にある予備系光送受信器を優先的に運用系として用いるため、消費電力の低減を目的として常に予備系光送受信器を待機状態にする場合と比較し、切り替え時間が短い。
【００３２】
以下、本実施形態の詳細を説明する。
【００３３】
＜予備系光送受信器２２００が起動されるタイミング＞
状態遷移部２０４０が、予備系光送受信器２２００を起動するタイミングは様々である。例えば、状態遷移部２０４０は、各予備系光送受信器２２００を、周期的に起動する。図２は、状態遷移部２０４０が、各予備系光送受信器２２００を周期的に起動する様子を概念的に示す図である。各グラフは、予備系光送受信器１〜３それぞれの状態遷移を示している。また、各予備系光送受信器は、周期Ｅで起動されている。Ａは、予備系光送受信器２２００が待機状態から起動状態に遷移するために要する時間である。Ｂは、動作確認部２０２０が、予備系光送受信器２２００の動作確認を行うために要する時間である。Ｃは、動作確認が終わった予備系光送受信器２２００を、起動状態で待機させておく時間である。Ｄは、予備系光送受信器２２００が起動状態から待機状態に遷移するために要する時間である。
【００３４】
予備系光送受信器２２００を起動する周期Ｅは、例えば、次の数式１で定められる。数式１におけるＣは、上記で説明したＣと同じである。
【数１】
2014158249.tif 000003
【００３５】
予備系光送受信器２２００の起動タイミングは、周期的なタイミングに限定されない。例えば、状態遷移部２０４０は、各予備系光送受信器２２００を、ランダムなタイミングで起動してもよい。
【００３６】
＜予備系光送受信器２２００の動作確認を行う方法＞
例えば動作確認部２０２０は、予備系光送受信器２２００の動作確認を行う際、予備系光送受信器２２００が送信する光信号を、予備系光送受信器２２００自身に受信させるように、ループバックパスを形成する。例えば、予備系光送受信器２２００が、図３に示すように、外部から光信号を受信する受信部２２２０と、外部へ光信号を送信する送信部２２４０を有しているとする。ここで、図３において、点線は、光信号の流れを表している。図３の場合、動作確認部２０２０は、送信部２２４０によって送信される光信号が、受信部２２２０に入力されるように、ループバックパス１００を形成している。
【００３７】
予備系光送受信器２２００の動作確認を行うためのループバックパスを形成する別の方法として、次に示す方法がある。ここでは、光伝送装置２０００が、光スイッチ部２３００を有するとする。光スイッチ部２３００は、外部から受信した光信号を予備系光送受信器２２００へ送信し、かつ、予備系光送受信器２２００から受信した光信号を外部へ送信する。
【００３８】
図４は、光スイッチ部２３００を有する実施形態１の光伝送装置２０００を表すブロック図である。図４において、実線の矢印は情報の流れを示し、点線の矢印は光信号の流れを示している。光スイッチ部２３００は、予備系光送受信器２２００へ送信する光信号を外部から受信する受信部２３２０と、予備系光送受信器２２００から受信した光信号を外部へ送信する送信部２３４０を有する。
【００３９】
図５は、光スイッチ部２３００を用いて形成されるループバックパスを示す図である。図５において、点線の矢印は光信号の流れを表している。図５において、動作確認部２０２０が動作確認を行う予備系光送受信器２２００は、予備系光送受信器２２００−１と表記されている。動作確認部２０２０は、送信部２３４０、予備系光送受信器２２００−１から受信する光信号を、受信部２３２０へ送信するように、ループバックパス２００を形成する。受信部２３２０は、ループバックパス２００を通じて受信した光信号を、予備系光送受信器２２００−１の受信部２２２０へ送信する。
【００４０】
＜光スイッチ部２３００の詳細な構成＞
図６は、光スイッチ部２３００の詳細な構成を例示する図である。図６において、点線の矢印は、光信号の流れを表している。図６において、光スイッチ部２３００は、クロスコネクト部２３６０及びアドドロップ部２３８０を有している。クロスコネクト部２３６０及びアドドロップ部２３８０は、例えば、種々の光コンポーネントで構成される。上記光コンポーネントは、例えば、任意の波長の光信号を任意のポートに接続可能な波長選択スイッチ（WSS : Wavelength Selective Switch）や、光マトリクススイッチ、光カプラ、又は光スプリッタである。
【００４１】
図６において、クロスコネクト部２３６０は、光カプラ・スプリッタ２３６２と、波長選択スイッチ２３６４を有している。また、アドドロップ部２３８０は、ドロップ部２３８２とアド部２３８４を有している。光カプラ・スプリッタ２３６２は、入力された光信号の合波や分波を行う。波長選択スイッチ２３６４は、入力された光信号の中から、任意の波長の光信号を、任意の出力ポートに出力する。ドロップ部２３８２及びアド部２３８４は、クロスコネクト部２３６０と複数存在する光送受信器との間を接続する。
【００４２】
＜光伝送装置２０００のハードウエア構成＞
図７は、動作確認部２０２０、状態遷移部２０４０、及び運用系選択部２０６０を実現するために光伝送装置２０００が有する、ハードウエアの構成を例示するブロック図である。図７において、実線の矢印は情報の流れを表している。図７において、光伝送装置２０００は、バス１０２０、ＣＰＵ１０４０、ＲＡＭ１０６０、及びストレージ１０８０を有する。ただし、光伝送装置２０００が有するハードウエアの構成は、図７に示す構成に限定されない。
【００４３】
バス１０２０は、ＣＰＵ１０４０、ＲＡＭ１０６０、及びストレージ１０８０の間で、相互に情報を送受信するための伝送路である。
【００４４】
動作確認モジュール１２２０は、光伝送装置２０００に、動作確認部２０２０の機能を持たせるためのプログラムである。ＣＰＵ１０４０は、動作確認モジュール１２２０を実行することで、動作確認部２０２０の機能を実現する。
【００４５】
状態遷移モジュール１２４０は、光伝送装置２０００に、状態遷移部２０４０の機能を持たせるためのプログラムである。ＣＰＵ１０４０は、状態遷移モジュール１２４０を実行することで、状態遷移部２０４０の機能を実現する。
【００４６】
運用系選択モジュール１２６０は、光伝送装置２０００に、運用系選択部２０６０の機能を持たせるためのプログラムである。ＣＰＵ１０４０は、運用系選択モジュール１２６０を実行することで、運用系選択部２０６０の機能を実現する。
【００４７】
動作確認モジュール１２２０、状態遷移モジュール１２４０、及び運用系選択モジュール１２６０は、例えばストレージ１０８０に格納される。そして、上記各モジュールは、ＣＰＵ１０４０により、例えばＲＡＭ１０６０に読み出される。ここで、上記各モジュールは、ＲＡＭ１０６０に格納されていてもよい。また、光伝送装置２０００がＲＯＭを有する場合、上記各モジュールは、そのＲＯＭに格納されていてもよい。上記各モジュールが、ＲＡＭ１０６０やＲＯＭに格納されている場合、光伝送装置２０００は、ストレージ１０８０を有さなくてもよい。
【００４８】
ストレージ１０８０は、例えば、ＲＡＭやＲＯＭ等の記憶装置である。その他にも例えば、ストレージ１０８０は、ハードディスク、ＵＳＢメモリ、又はＳＳＤ（Ｓｏｌｉｄ  Ｓｔａｔｅ  Ｄｒｉｖｅ）などの記憶装置であってもよい。
【００４９】
＜処理の流れ＞
図８は、実施形態１に係る光伝送装置２０００が、予備系光送受信器２２００の動作確認を行う流れを例示するフローチャートである。
【００５０】
ステップＳ１０２において、状態遷移部２０４０は、予備系光送受信器２２００を起動状態にする。ステップＳ１０４において、動作確認部２０２０は、予備系光送受信器２２００の動作確認を行う。ステップＳ１０６において、運用系選択部２０６０は、光伝送装置２０００を待機状態にする。
【００５１】
図９は、実施形態１に係る光伝送装置２０００が、運用系として利用する予備系光送受信器２２００を選択する処理の流れを例示するフローチャートである。
【００５２】
ステップＳ２０２において、運用系選択部２０６０は、起動状態にあり、かつ、動作確認部２０２０によって、正常に動作すると判断された予備系光送受信器２２００が存在するか否かを判定する。起動状態にあり、かつ、正常に動作すると判断された予備系光送受信器２２００が存在する場合、図４の処理は、ステップＳ２０４に進む。一方、起動状態にあり、かつ、正常に動作すると判断された予備系光送受信器２２００が存在しない場合、図４の処理は、ステップＳ２０６に進む。
【００５３】
ステップＳ２０４において、運用系選択部２０６０は、起動状態にあり、かつ、正常に動作すると判断された予備系光送受信器２２００を、運用系として利用する光送受信器として選択する。
【００５４】
ステップＳ２０６において、運用系選択部２０６０は、任意の予備系光送受信器２２００を、運用系として利用する光送受信器として選択する。ただし、ステップＳ２０６における運用系選択部２０６０の動作は、上記に限られない。例えば、運用系選択部２０６０は、動作確認がまだ行われていないものの、起動状態にある予備系光送受信器２２００を優先的に、運用系として用いる予備系光送受信器２２００として選択してもよい。こうすることで、予備系光送受信器２２００が正常に動作する確率は低くなるものの、予備系光送受信器２２００を運用系に切り替えるために要する時間が短くなる。
【００５５】
＜作用・効果＞
本実施形態によれば、複数の予備系光送受信器２２００を有する光伝送装置２０００において、運用系選択部２０６０が選択した予備系光送受信器２２００を運用系に切り替えることで、光伝送装置の消費電力を低減しつつ、光伝送装置の可用性が高めることができる。まず、動作確認が終わった予備系光送受信器を起動状態から待機状態に遷移させるため、切り替え時間の短縮を目的として常に予備系光送受信器を起動状態にしておく場合と比較し、光伝送装置の消費電力が小さい。また、正常に動作することが確認された予備系光送受信器を優先的に運用系として用いるため、予備系光送受信器の動作確認を行わない場合と比較し、運用系に切り替えた予備系光送受信器が正常に動作する確率が高い。そして、起動状態にある予備系光送受信器を優先的に運用系として用いるため、消費電力の低減を目的として常に予備系光送受信器を待機状態にする場合と比較し、切り替え時間が短い。
【００５６】
＜実施例１＞
図１０は、本実施形態の光伝送装置による効果の試算結果を示すグラフである。Ｘ軸は、切り替え時間を表す。Ｙ軸は、複数の予備系光送受信器が消費する電力の合計である。光伝送装置は、４台の予備系光送受信器を有する。予備系光送受信器は、起動状態、一部機能ＯＦＦ状態、電力最小状態という３つの状態を取り得る。ここで、動作確認が行える予備系光送受信器は、起動状態にある予備系光送受信機のみであり、一部機能ＯＦＦ状態及び電力最小状態にある予備系光送受信器は、動作確認が行えないとする。予備系光送受信器は、データ伝送速度が１０Ｇｂｐｓの光送受信器であると仮定する。予備系光送受信器の消費電力は、電力最小状態において５Ｗ、一部機能ＯＦＦ状態において２５Ｗ、起動状態において３０Ｗと仮定する。
【００５７】
本実施形態の光伝送装置において、１台の予備系光送受信器が起動状態にあり、残り３台の予備系光送受信器が待機状態にあるとする。この場合、消費電力の合計は、４５Ｗである。これに対し、全ての予備系光送受信器が起動状態である光伝送装置は、消費電力が１２０Ｗである。この光伝送装置を、ケース１の光伝送装置と表記する。また、全ての予備系光送受信器が一部機能ＯＦＦ状態である光伝送装置は、消費電力が１００Ｗである。この光伝送装置を、ケース２の光伝送装置と表記する。また、全ての予備系光送受信器が電力最小状態にある光伝送装置は、消費電力が２０Ｗである。この光伝送装置を、ケース３の光伝送装置と表記する。
【００５８】
まず、本実施形態の光伝送装置の消費電力は、ケース３の光伝送装置よりは大きいものの、ケース１及びケース２の光伝送装置の消費電力よりも小さい。次に、本実施形態の光伝送装置の切り替え時間は、ケース１と並んで最も短い。一方、ケース３の光伝送装置の切り替え時間は、全ての予備系光送受信器が待機状態であるため、本実施形態の光伝送装置と比較してかなり長い。
【００５９】
この結果から、本実施形態の光伝送装置は、消費電力を低く抑えつつ、切り替え時間の短縮を実現している。さらに、本実施形態の光伝送装置は、予備系光送受信器の動作確認を行うため、予備系光送受信器の動作保証も実現している。したがって、本実施形態において、予備系光送受信器が複数設けられている光伝送装置において、光伝送装置の消費電力の低減、予備系光送受信器の動作保証、及び切り替え時間の短縮という３つが実現されていることが分かる。
【００６０】
＜実施例２＞
実施例２として、運用系予備系光送受信器に障害が発生した場合における光伝送装置２０００の動作を説明する。図１１は、運用系予備系光送受信器に障害が発生した場合における光伝送装置２０００の処理の流れを例示するフローチャートである。
【００６１】
ステップＳ３０２において、光伝送装置２０００は、運用系予備系光送受信器に障害が発生したことを示す障害信号を受信する。
【００６２】
ステップＳ３０４において、光伝送装置２０００は、障害が発生した運用系光送受信器の動作を停止する。
【００６３】
ステップＳ３０６において、運用系選択部２０６０は、運用系として利用する予備系光送受信器２２００を選択する。ここで、運用系選択部２０６０は、起動状態であり、かつ、正常に動作することが確認された予備系光送受信器２２００がある場合、その予備系光送受信器２２００を優先的に選択する。
【００６４】
ステップＳ３０８において、光伝送装置２０００は、上記で選択された予備系光送受信器２２００を、運用系に切り替える。
【００６５】
ステップＳ３１０において、状態遷移部２０４０は、運用系に切り替えられた予備系光送受信器２２００とは別の予備系光送受信器２２００を、起動状態にする。このように、光伝送装置２０００は、ある予備系光送受信器２２００を運用系に切り替えた場合に、別の予備系光送受信器２２００を起動状態にすることが望ましい。こうすることで、常に、少なくとも１つ以上の予備系光送受信器２２００が、起動状態にある。これにより、運用系選択部２０６０が運用系に切り替える予備系光送受信器２２００を選択する場合に、起動状態にあり、かつ、正常に動作することが確認された予備系光送受信器２２００が存在する確率がより高くなる。
【００６６】
[実施形態２]
実施形態２に係る光伝送装置２０００は、実施形態１に係る光伝送装置２０００と同様に、図１で表される。
【００６７】
＜状態遷移部２０４０＞
実施形態２の状態遷移部２０４０は、動作確認部２０２０によって正常であると判断された予備系光送受信器２２００のうち、少なくとも１つ以上を、動作確認部２０２０によって別の光送受信器が正常であると判断されるまで、起動状態にしておく。こうすることで、常に、正常に動作する予備系光送受信器２２００のうち、いずれか１つ以上の予備系光送受信器２２００は、起動状態にある。したがって、実施形態２の光伝送装置２０００によれば、実施形態１の光伝送装置２０００と比較し、運用系選択部２０６０によって、起動状態にあり、かつ、正常に動作する予備系光送受信器２２００を選択できる確率がより高くなる。
【００６８】
例えば状態遷移部２０４０は、動作確認部２０２０によって予備系光送受信器２２００が正常であると判断されたことを検知する。その方法は、様々である。例えば状態遷移部２０４０は、動作確認部２０２０から、予備系光送受信器２２００が正常であると判断した旨の通知を受信する。その他にも例えば、状態遷移部２０４０は、動作確認部２０２０の動作を監視することで、動作確認部２０２０によって、予備系光送受信器２２００が正常であると判断されたことを検知する。また、状態遷移部２０４０は、動作確認部２０２０によって、予備系光送受信器２２００が、正常でないと判断されたことを検知してもよい。
【００６９】
図１２は、本実施形態における動作確認部２０２０及び状態遷移部２０４０の動作を概念的に示す図である。図１２において、グラフは、予備系光送受信器の状態遷移を表している。また、図１２における斜線部は、動作確認部２０２０が予備系光送受信器の動作確認を行っている期間を示している。
【００７０】
図１２において、まず、状態遷移部２０４０は、予備系光送受信器１を起動状態にする。そして、動作確認部２０２０は、予備系光送受信器１の動作確認を行う。この時、動作確認部２０２０は、予備系送受信器１が正常に動作すると判断したとする。
【００７１】
次に、状態遷移部２０４０は、予備系光送受信器２を起動状態にする。この際、予備系光送受信器１の動作状態は、起動状態のままである。そして、動作確認部２０２０は、予備系光送受信器２の動作確認を行う。この時、動作確認部２０２０は、予備系光送受信器２が、正常に動作すると判断したとする。この場合、状態遷移部２０４０は、予備系光送受信器１を待機状態にする。
【００７２】
同様に、状態遷移部２０４０は、予備系光送受信器３を起動状態にする。そして、動作確認部２０２０は、予備系光送受信器３の動作確認を行う。この時、動作確認部２０２０は、予備系光送受信器３が、正常に動作しないと判断したとする。この場合、状態遷移部２０４０は、予備系光送受信器２を起動状態のままになる。
【００７３】
次に、状態遷移部２０４０は、予備系光送受信器４を起動状態にする。そして、動作確認部２０２０は、予備系光送受信器４の動作確認を行う。この時、動作確認部２０２０は、予備系光送受信器４が、正常に動作すると判断したとする。この場合、状態遷移部２０４０は、予備系光送受信器２を待機状態にする。
【００７４】
以上の動作を行うことで、予備系光送受信器１が正常に動作する確認された時点以降、常に、正常に動作すると確認された予備系光送受信器のいずれかは、起動状態にある。
【００７５】
＜処理の流れ＞
図１３は、実施形態２の光伝送装置２０００が行う処理の流れを例示するフローチャートである。ここで、各予備系光送受信器２２００には、ＩＤが付与されていると仮定する。また、各予備系光送受信器２２００のＩＤは、連続する整数であると仮定する。つまり、光伝送装置２０００が有する予備系光送受信器２２００の総数がＮである場合、予備系光送受信器２２００のＩＤは、０〜Ｎ−１である。
【００７６】
ステップＳ４０２において、状態遷移部２０４０は、ｉを０に初期化する。ｉは、次に起動する予備系光送受信器２２００のＩＤを表す。
【００７７】
ステップＳ４０４において、状態遷移部２０４０は、予備系光送受信器ｉを起動状態にする。
【００７８】
ステップＳ４０６において、状態遷移部２０４０は、ｉに１を加算する。
【００７９】
ステップＳ４０８において、動作確認部２０２０は、予備系光送受信器ｉが正常に動作するか否かを確認する。予備系光送受信器ｉが正常に動作する場合、図１３の処理は、ステップＳ４１０に進む。予備系光送受信器ｉが正常に動作しない場合、図１３の処理は、ステップＳ４０４に進む。
【００８０】
ステップＳ４１０において、状態遷移部２０４０は、ｋにｉを代入する。ｋは、起動状態にあり、かつ、動作確認部２０２０によって正常に動作することが確認された予備系光送受信器２２００のＩＤを示す。
【００８１】
ステップＳ４１２〜ステップＳ４２８の処理は、繰り返し行われるループ処理Ａである。ステップＳ４１４において、状態遷移部２０４０は、予備系光送受信器ｉを起動状態にする。
【００８２】
ステップＳ４１６において、動作確認部２０２０は、予備系光送受信器ｉが正常に動作するか否かを確認する。予備系光送受信器ｉが正常に動作する場合、図１３の処理は、ステップＳ４１８に進む。予備系光送受信器ｉが正常に動作しない場合、図１３の処理は、ステップＳ４２２に進む。
【００８３】
ステップＳ４１８において、状態遷移部２０４０は、予備系光送受信器ｋを待機状態にする。ステップＳ４２０において、状態遷移部２０４０は、ｋにｉを代入する。
【００８４】
ステップＳ４２２において、状態遷移部２０４０は、ｉに１を加算する。そして、ステップＳ４２４において、状態遷移部２０４０は、「ｉ＜予備系光送受信器の総数」であるか否かを判定する。「ｉ＜予備系光送受信器の総数」である場合、図１３の処理は、ステップＳ４２８に進む。一方、「ｉ＜予備系光送受信器の総数」でない場合、図１３の処理は、ステップＳ４２６に進む。ステップＳ４２６において、状態遷移部２０４０は、ｉに、０以上であり、かつｋの値と異なる最小の整数を代入する。
【００８５】
ステップＳ４２８は、ループ処理Ａの終端である。図１３の処理は、ステップＳ４１２に戻る。
【００８６】
＜作用・効果＞
本実施形態によれば、正常に動作する予備系光送受信器２２００のうち、少なくとも１つ以上は、常に起動状態にある。そのため、実施形態１の光伝送装置２０００と比較し、予備系光送受信器２２００を運用系に切り替えるために要する時間が、より確実に短くなる。
【００８７】
[実施形態３]
実施形態３に係る光伝送装置２０００は、実施形態１の光伝送装置２０００と同様に、図１によって表される。
【００８８】
実施形態３の状態遷移部２０４０は、複数の予備系光送受信器２２００を同時に起動する。また、実施形態３の運用系選択部２０６０は、運用系の光送受信器として、複数の予備系光送受信器２２００を選択する。
【００８９】
図１４は、実施形態３に係る光伝送装置２０００の動作を概念的に示す図である。図１４において、状態遷移部２０４０は、予備系光送受信器２２００を２つずつ起動する。
【００９０】
例えば、図１４の時点Ｘにおいて、２つの運用系光送受信器で障害が発生したとする。この場合、運用系選択部２０６０は、運用系の光送受信器として利用する予備系光送受信器２２００を２つ選択する。時点Ｘにおいて、予備系光送受信器−１及び予備系光送受信器−２は双方とも、起動状態にある。さらに、上記２つの予備系光送受信器２２００は双方とも、既に動作確認部２０２０によって、正常に動作すると判断されている。そこで、運用系選択部２０６０は、予備系光送受信器−１と予備系光送受信器−２の２つを、運用系として動作させる予備系光送受信器２２００として選択する。
【００９１】
＜作用・効果＞
本実施形態によれば、起動状態であり、かつ、動作確認部２０２０によって正常に動作すると判断された予備系光送受信器２２００が複数存在する確率が高くなる。そのため、運用系選択部２０６０が、複数の予備系光送受信器２２００を運用系の光送受信器として選択する場合に、起動状態であり、かつ、正常に動作すると判断された予備系光送受信器２２００を複数選択できる確率が高くなる。そのため、本実施形態によれば、実施形態１や実施形態２の光伝送装置２０００と比較し、次の効果が得られる。まず、複数の予備系光送受信器２２００を運用系として選択する場合においても、切り替え時間が短くなる確率が高い。さらに、複数の予備系光送受信器２２００を運用系に切り替えた際に、各予備系光送受信器２２００が正常に動作する確率が高くなる。
【００９２】
[実施形態４]
実施形態４の光伝送装置２０００は、図４で示される構成を有する。実施形態４の動作確認部２０２０は、予備系光送受信器２２００及び光スイッチ部２３００の動作確認を行う。
【００９３】
動作確認部２０２０は、光スイッチ部２３００が外部に向けて送信する光信号を、光スイッチ部２３００自身が受信するように、ループバックパスを形成することで、予備系光送受信器２２００及び光スイッチ部２３００の動作確認を行う。これは、図５に示すループバックパス２００に該当する。
【００９４】
例えば、光スイッチ部２３００の詳細な構成が、図６に示される構成であるとする。この場合、例えば動作確認部２０２０は、予備系光送受信器２２００、クロスコネクト部２３６０、及びアドドロップ部２３８０の動作確認を行う。動作確認部２０２０は、クロスコネクト部２３６０が外部に送信する光信号を、クロスコネクト部２３６０自身が受信するように、ループバックパスを形成する。図１５は、クロスコネクト部２３６０において形成されるループバックパス３００を示す図である。図１５において、点線の矢印は、光信号の流れを表している。図１５において、ループバックパス３００は、波長選択スイッチ２３６４から送信される光信号を、光カプラ・スプリッタ２３６２に受信させるパスである。
【００９５】
光スイッチ部２３００の動作確認は、周期的に行われてもよいし、ランダムなタイミングで行われてもよい。
【００９６】
＜作用・効果＞
本実施形態によれば、予備系光送受信器２２００に加え、光スイッチ部２３００の動作保証を行うことができる。そのため、光スイッチ部２３００が故障している状態のまま、光伝送装置２０００が運用され続けることを、防ぐことができる。
【００９７】
[実施形態５]
図１６は、実施形態５に係る光伝送装置２０００を示すブロック図である。図１６において、実線の矢印は情報の流れを示している。図１６において、各ブロックは、ハードウエア単位の構成ではなく、機能単位の構成を示している。なお、図１６では、図が煩雑になることを避けるため、矢印を一部省略している。具体的には、図１６では、２つの予備系光送受信器２２００に対してのみ、動作確認部２０２０、状態遷移部２０４０、及び運用系選択部２０６０から矢印が繋がっている。しかし実際は、全ての予備系光送受信器２２００に対して、動作確認部２０２０、状態遷移部２０４０、運用系選択部２０６０から矢印が繋がる。
【００９８】
実施形態５の光伝送装置２０００に入力される光信号は、それぞれ異なる波長を持つ複数の光信号が波長多重されている。光伝送装置２０００は、各波長に対応して、その波長を持つ光信号が入力される複数の予備系光送受信器２２００を有する。例えば、光伝送装置２０００に入力される光信号は、波長λ１の光信号と、波長λ２の光信号とが波長多重されているとする。この場合、光伝送装置２０００は、波長λ１に対応する予備系光送受信器２２００と、波長λ２に対応する予備系光送受信器２２００とを、それぞれ複数有する。以下、同一の波長に対応する複数の予備系光送受信器２２００の集まりを、予備系光送受信器群２５００と呼ぶ。
【００９９】
実施形態５の運用系選択部２０６０は、運用系の光送受信器とする予備系光送受信器２２００を選択する際、その予備系光送受信器２２００が対応する波長を考慮する。ここで、運用系選択部２０６０が、第１波長に対応する運用系とする予備系光送受信器２２００を選択するとする。この場合、運用系選択部２０６０は、第１波長に対応する複数の予備系光送受信器２２００（第１波長に対応する予備系光送受信器群２５００）の中から、起動状態にあり、かつ、動作確認手段によって正常であると判断された予備系光送受信器２２００を、優先的に選択する。
【０１００】
図１７を用い、本実施形態の光伝送装置２０００について、さらに説明する。図１７は、実施形態５の光伝送装置２０００の詳細な構成を例示する図である。図１７の光伝送装置２０００は、運用系光送受信器２４００と複数の予備系光送受信器２２００との組み合わせを、複数有する点を除き、図６に示す光伝送装置２０００の構成と同様である。なお、図１７では、図が煩雑になることを避けるために、運用系光送受信器２４００と予備系光送受信器群２５００の組み合わせ１つに対してのみ、光信号の流れを記載している。実際は、運用系光送受信器２４００と予備系光送受信器群２５００の組み合わせそれぞれについて、光信号の入出力が行われる。
【０１０１】
図１７の光伝送装置２０００は、複数の光ファイバ方路と接続されている。各光ファイバ方路に入力される光信号は、それぞれ異なる波長を持つ複数の光信号が波長多重されている。図１７の光伝送装置２０００は、波長ごとに、運用系光送受信器２４００と予備系光送受信器群２５００との組み合わせを有する。例えば、１つの予備系光送受信器群２５００は、光ファイバ方路ごとに予備系光送受信器２２００を有する。各予備系光送受信器群２５００に含まれる予備系光送受信器２２００の動作確認を行う手順は、実施形態１における手順と同様である。
【０１０２】
図１７の光伝送装置２０００は、ある運用系光送受信器２４００に代えて運用系とする予備系光送受信器２２００を、その運用系光送受信器２４００と組みになっている複数の予備系光送受信器２２００の中から選択する。ここで、運用系光送受信器２４００と同じ組みになっている各予備系光送受信器２２００は、その運用系光送受信器２４００と同一の波長に対応している。
【０１０３】
光伝送装置２０００は、任意の光ファイバ方路から入力された光信号から、任意の波長を持つ光信号を抽出する。そして、光伝送装置２０００は、抽出した光信号を、その光信号が持つ波長に対応する運用系光送受信器２４００又は予備系光送受信器２２００に対して入力する。具体的には、光カプラ・スプリッタ２３６２が、光ファイバ方路を通じて入力された光信号の中から、任意の波長の光信号を抽出して、ドロップ部２３８２に入力する。そして、ドロップ部２３８２が、入力された光信号が持つ波長に対応する運用系光送受信器２４００又は予備系光送受信器２２００に対して、この光信号を出力する。
【０１０４】
＜作用・効果＞
本実施形態によれば、波長多重された光信号を取り扱うために、波長ごとに複数の予備系光送受信器２２００を用意している光伝送装置２０００においても、光伝送装置の消費電力を低減しつつ、光伝送装置の可用性を高めることができる。
【０１０５】
以上、図面を参照して本発明の実施形態について述べたが、これらは本発明の例示であり、上記実施形態の組み合わせ、及び上記実施形態以外の様々な構成を採用することもできる。
【０１０６】
＜付記＞
（付記１）
複数の予備系光送受信器を有する光伝送装置であって、
起動状態にある予備系光送受信器の動作確認を行う動作確認手段と、
起動状態にあり、かつ動作確認が終了した第１予備系光送受信器を、起動状態よりも消費電力が小さい状態であり、かつ動作確認を行うことができない状態である待機状態にする処理と、待機状態にある第２予備系光送受信器を起動状態にする処理と、を行う状態遷移手段と、
複数の予備系光送受信器の中から、起動状態にあり、かつ、動作確認手段によって正常であると判断された予備系光送受信器を優先的に、運用系の光送受信器として選択する運用系選択手段と、
を有する光伝送装置。
（付記２）
状態遷移手段は、動作確認手段によって正常であると判断された光送受信器のいずれか１つ以上を、動作確認手段によって別の光送受信器が正常であると判断されるまで、起動状態にしておく付記１記載の光伝送装置。
（付記３）
状態遷移手段は、複数の予備系光送受信器を、同時に起動状態にし、
運用系選択手段は、運用系の光送受信器として、複数の予備系光送受信器を選択する付記１又は２記載の光伝送装置。
（付記４）
状態遷移手段は、動作確認手段による動作確認が終了してから所定の時間が経過した予備系光送受信器を、待機状態にする付記１乃至３いずれか一つに記載の光伝送装置。
（付記５）
状態遷移手段は、各予備系光送受信器を、周期的に起動状態にする付記１乃至４いずれか一つに記載の光伝送装置。
（付記６）
予備系光送受信器へ送信する第１光信号を受信する第１受信部と、予備系光送受信器から受信した第２光信号を送信する第１送信部とを有する、光スイッチ部を有し、
動作確認手段は、第１予備系光送受信器が有する第１送信部によって送信される第２光信号を、第１予備系光送受信器が有する第１受信部によって受信される第１光信号とすることで、第１予備系光送受信器の動作確認を行う付記１乃至５いずれか一つに記載の光伝送装置。
（付記７）
予備系光送受信器は、第３光信号を受信する第２受信部と、第４光信号を送信する第２送信部を有し、
動作確認手段は、第２予備系光送受信器が有する第２送信部によって送信される第４光信号を、第２予備系光送受信器が有する第２受信部によって受信される第３光信号とすることで、第２予備系光送受信器の動作確認を行う付記１乃至６いずれか一つに記載の光伝送装置。
（付記８）
予備系光送受信器へ送信する第１光信号を受信する第１受信部と、予備系光送受信器から受信した第２光信号を送信する第１送信部とを有する、光スイッチ部を有し、
動作確認手段は、光スイッチ部の動作確認をさらに行う付記１乃至７いずれか一つに記載の光伝送装置。
（付記９）
それぞれ異なる波長を持つ複数の光信号が波長多重された光信号を入力される請求項１乃至８いずれか一項に記載の光伝送装置であって、
各波長それぞれに対応して、その波長を持つ光信号が入力される複数の予備系光送受信器を有し、
運用系選択手段は、第１波長に対応する予備系光送受信器の中から、起動状態にあり、かつ、動作確認手段によって正常であると判断された予備系光送受信器を優先的に、第１波長に対応する運用系の光送受信器として選択する、
付記１乃至８いずれか一つに記載の光伝送装置。
（付記１０）
複数の予備系光送受信器を有する光伝送装置によって実行される制御方法であって、
起動状態にある予備系光送受信器の動作確認を行う動作確認ステップと、
起動状態にあり、かつ動作確認が終了した第１予備系光送受信器を、起動状態よりも消費電力が小さい状態であり、かつ動作確認を行うことができない状態である待機状態にする待機ステップと、
待機状態にある第２予備系光送受信器を起動状態にする起動ステップと、
複数の予備系光送受信器の中から、起動状態にあり、かつ、動作確認ステップによって正常であると判断された予備系光送受信器を優先的に、運用系の光送受信器として選択する運用系選択ステップと、
を有する制御方法。
（付記１１）
待機ステップは、動作確認ステップによって正常であると判断された光送受信器のいずれか１つ以上を、動作確認ステップによって別の光送受信器が正常であると判断されるまで、起動状態にしておく付記１０記載の制御方法。
（付記１２）
起動ステップは、複数の予備系光送受信器を、同時に起動状態にし、
運用系選択ステップは、運用系の光送受信器として、複数の予備系光送受信器を選択する付記１０又は１１記載の制御方法。
（付記１３）
待機ステップは、動作確認ステップによる動作確認が終了してから所定の時間が経過した予備系光送受信器を、待機状態にする付記１０乃至１２いずれか一つに記載の制御方法。
（付記１４）
起動ステップは、各予備系光送受信器を、周期的に起動状態にする付記１０乃至１３いずれか一つに記載の制御方法。
（付記１５）
予備系光送受信器へ送信する第１光信号を受信する第１受信部と、予備系光送受信器から受信した第２光信号を送信する第１送信部とを有する、光スイッチ部を有し、
動作確認ステップは、第１予備系光送受信器が有する第１送信部によって送信される第２光信号を、第１予備系光送受信器が有する第１受信部によって受信される第１光信号とすることで、第１予備系光送受信器の動作確認を行う付記１０乃至１４いずれか一つに記載の制御方法。
（付記１６）
予備系光送受信器は、第３光信号を受信する第２受信部と、第４光信号を送信する第２送信部を有し、
動作確認ステップは、第２予備系光送受信器が有する第２送信部によって送信される第４光信号を、第２予備系光送受信器が有する第２受信部によって受信される第３光信号とすることで、第２予備系光送受信器の動作確認を行う付記１０乃至１５いずれか一つに記載の制御方法。
（付記１７）
予備系光送受信器へ送信する第１光信号を受信する第１受信部と、予備系光送受信器から受信した第２光信号を送信する第１送信部とを有する、光スイッチ部を有し、
動作確認ステップは、光スイッチ部の動作確認をさらに行う付記１０乃至１６いずれか一つに記載の制御方法。
（付記１８）
前記光伝送装置は、
それぞれ異なる波長を持つ複数の光信号が波長多重された光信号を入力され、
各波長それぞれに対応して、その波長を持つ光信号が入力される複数の予備系光送受信器を有し、
運用系選択ステップは、第１波長に対応する予備系光送受信器の中から、起動状態にあり、かつ、動作確認手段によって正常であると判断された予備系光送受信器を優先的に、第１波長に対応する運用系の光送受信器として選択する、
付記１０乃至１７いずれか一つに記載の制御方法。
（付記１９）
コンピュータに、複数の予備系光送受信器を有する光伝送装置として動作する機能を持たせるプログラムであって、
前記コンピュータに、
起動状態にある予備系光送受信器の動作確認を行う動作確認機能と、
起動状態にあり、かつ動作確認が終了した第１予備系光送受信器を、起動状態よりも消費電力が小さい状態であり、かつ動作確認を行うことができない状態である待機状態にする処理と、待機状態にある第２予備系光送受信器を起動状態にする処理と、を行う状態遷移機能と、
複数の予備系光送受信器の中から、起動状態にあり、かつ、動作確認機能によって正常であると判断された予備系光送受信器を優先的に、運用系の光送受信器として選択する運用系選択機能と、
を持たせるプログラム。
（付記２０）
状態遷移機能は、動作確認機能によって正常であると判断された光送受信器のいずれか１つ以上を、動作確認機能によって別の光送受信器が正常であると判断されるまで、起動状態にしておく付記１９記載のプログラム。
（付記２１）
状態遷移機能は、複数の予備系光送受信器を、同時に起動状態にし、
運用系選択機能は、運用系の光送受信器として、複数の予備系光送受信器を選択する付記１９又は２０記載のプログラム。
（付記２１）
状態遷移機能は、動作確認機能による動作確認が終了してから所定の時間が経過した予備系光送受信器を、待機状態にする付記１９乃至２１いずれか一つに記載のプログラム。
（付記２３）
状態遷移機能は、各予備系光送受信器を、周期的に起動状態にする付記１９乃至２２いずれか一つに記載のプログラム。
（付記２４）
予備系光送受信器へ送信する第１光信号を受信する第１受信部と、予備系光送受信器から受信した第２光信号を送信する第１送信部とを有する、光スイッチ部を有し、
動作確認機能は、第１予備系光送受信器が有する第１送信部によって送信される第２光信号を、第１予備系光送受信器が有する第１受信部によって受信される第１光信号とすることで、第１予備系光送受信器の動作確認を行う付記１９乃至２３いずれか一つに記載のプログラム。
（付記２５）
予備系光送受信器は、第３光信号を受信する第２受信部と、第４光信号を送信する第２送信部を有し、
動作確認機能は、第２予備系光送受信器が有する第２送信部によって送信される第４光信号を、第２予備系光送受信器が有する第２受信部によって受信される第３光信号とすることで、第２予備系光送受信器の動作確認を行う付記１９乃至２４いずれか一つに記載のプログラム。
（付記２６）
予備系光送受信器へ送信する第１光信号を受信する第１受信部と、予備系光送受信器から受信した第２光信号を送信する第１送信部とを有する、光スイッチ部を有し、
動作確認機能は、光スイッチ部の動作確認をさらに行う付記１９乃至２５いずれか一つに記載のプログラム。
（付記２７）
前記コンピュータは、
それぞれ異なる波長を持つ複数の光信号が波長多重された光信号を入力され、
各波長それぞれに対応して、その波長を持つ光信号が入力される複数の予備系光送受信器を有し、
運用系選択機能は、第１波長に対応する予備系光送受信器の中から、起動状態にあり、かつ、動作確認手段によって正常であると判断された予備系光送受信器を優先的に、第１波長に対応する運用系の光送受信器として選択する、
付記１９乃至２６いずれか一つに記載のプログラム。
【符号の説明】
【０１０７】
１００ ループバックパス
２００ ループバックパス
３００ ループバックパス
１０２０ バス
１０４０ ＣＰＵ
１０６０ ＲＡＭ
１０８０ ストレージ
１２２０ 動作確認モジュール
１２４０ 状態遷移モジュール
１２６０ 運用系選択モジュール
２０００ 光伝送装置
２０２０ 動作確認部
２０４０ 状態遷移部
２０６０ 運用系選択部
２２００ 予備系光送受信器
２２２０ 受信部
２２４０ 送信部
２３００ 光スイッチ部
２３２０ 受信部
２３４０ 送信部
２３６０ クロスコネクト部
２３６２ 光カプラ・スプリッタ
２３６４ 波長選択スイッチ
２３８０ アドドロップ部
２３８２ ドロップ部
２３８４ アド部
２４００ 運用系光送受信器
２５００ 予備系光送受信器群
【図１】
2014158249.tif 000004
【図２】
2014158249.tif 000005
【図３】
2014158249.tif 000006
【図４】
2014158249.tif 000007
【図５】
2014158249.tif 000008
【図６】
2014158249.tif 000009
【図７】
2014158249.tif 000010
【図８】
2014158249.tif 000011
【図９】
2014158249.tif 000012
【図１０】
2014158249.tif 000013
【図１１】
2014158249.tif 000014
【図１２】
2014158249.tif 000015
【図１３】
2014158249.tif 000016
【図１４】
2014158249.tif 000017
【図１５】
2014158249.tif 000018
【図１６】
2014158249.tif 000019
【図１７】
2014158249.tif 000020